(57)【要約】【課題】複数のメニューアイテムをグルーピングすることで、それぞれのメニュー特性を反映し、または新たに生成する合成メニュー情報を表示する移動端末を提供する。【解決手段】複数のメニューアイテムをグルーピングして生成した合成メニュー情報を表示する移動端末は、メニュー情報を表示する表示部と、複数のメニューアイテムをグルーピングして生成する合成メニュー情報を格納するメモリ部と、ユーザの指示によって、選択される複数のメニューアイテムに対応する合成メニューアイテムを前記表示部に表示するように制御する制御部と、を含む。【選択図】図１
2011060281.tif 000002
【特許請求の範囲】
【請求項１】
メニューアイテムを表示する表示部と、
複数のメニューアイテムをグループ化することにより生成される合成メニュー情報を格納するメモリ部と、
複数のメニューアイテムをグループ化して該当する合成メニューアイテムを前記表示部に表示するように制御する制御部と、を含むことを特徴とする移動端末。
【請求項２】
前記表示部は、タッチパネルを含むことを特徴とする請求項１に記載の移動端末。
【請求項３】
前記制御部は、合成メニューアイテムが選択されると、該選択された合成メニュー情報に含まれるアプリケーションを実行することを特徴とする請求項１に記載の移動端末。
【請求項４】
前記メモリ部に格納する前記合成メニュー情報は、ユーザの指示によって決定されることを特徴とする請求項１に記載の移動端末。
【請求項５】
前記制御部は、タッチまたはドラッグ形態で第１メニューアイテムの領域から第２メニューアイテムの領域へグルーピング信号が入力されると、前記第１メニューアイテム及び第２メニューアイテムをグループ化して合成メニュー情報を生成し、前記第１メニューアイテム及び第２メニューアイテムに対応する合成メニューアイテムを前記表示部に表示するように制御することを特徴とする請求項１に記載の移動端末。
【請求項６】
前記表示部は、グルーピング機能を行うグルーピングアイコンをさらに表示し、
前記制御部は、前記合成アイコンにてタッチまたはドラッグ入力を通じて選択される複数のメニューアイテムをグループ化して合成メニュー情報を生成し、複数のメニューアイテムを合成して該当する合成メニューアイテムを前記表示部に表示するように制御することを特徴とする請求項１に記載の移動端末。
【請求項７】
前記表示部は、予め設定された基準時間の間にメニューアイテムに対してグルーピング機能を起動させるグルーピングアイコンをさらに表示し、
前記制御部は、前記基準時間内に選択された複数のメニューアイテムをグルーピングして合成メニュー情報を生成し、前記選択された複数のメニューアイテムに対応する合成メニューアイテムを前記表示部に表示するように制御することを特徴とする請求項１に記載の移動端末。
【請求項８】
前記表示部は、削除機能を行う削除アイコンをさらに表示し、
前記制御部は、前記削除アイコンにてタッチまたはドラッグ入力を通じて選択される合成メニューアイテムを前記表示部から削除するように制御することを特徴とする請求項１に記載の移動端末。
【請求項９】
前記制御部は、前記削除アイコンにてタッチまたはドラッグを通じて初期のメニューアイテムが選択されると、削除不可の警告機能を実行することを特徴とする請求項８に記載の移動端末。
【請求項１０】
前記メモリ部は、移動端末の状態情報メニュー及び一つ以上のメニューアイテムがグルーピングされて生成された合成状態情報をさらに格納し、
前記メモリ部は、前記移動端末の状態情報メニュー及び一つ以上のメニューアイテムがグルーピングされて生成された合成状態情報を更に格納し、前記状態情報メニュー及び一つ以上のメニューアイテムが選択されると、前記制御部は、前記メモリ部に格納された前記合成状態情報を前記表示部に表示するように制御することを特徴とする請求項１に記載の移動端末。
【請求項１１】
前記合成メニューアイテムは、合成アイコンであることを特徴とする請求項１に記載の移動端末。
【請求項１２】
前記複数のメニューアイテムは、音声アイコン、テキストアイコン、通話アイコン、及び時計アイコンを含むことを特徴とする請求項１に記載の移動端末。
【請求項１３】
前記合成メニューアイテムは、通話メニューアイコン及び通話アイコンを含むメッセージアイコンであることを特徴とする請求項１に記載の移動端末。
【請求項１４】
前記合成メニューアイテムは、通話メニューアイテム及びカメラメニューアイテムを含むビデオ通話メニューであることを特徴とする請求項１に記載の移動端末。
【請求項１５】
前記合成メニューアイテムは、通話メニューアイテム及びプロバイダサービスメニューアイテムを含む無線インターネットメニューアイテムであることを特徴とする請求項１に記載の移動端末。
【請求項１６】
前記合成メニューアイテムは、時計メニューアイテム及びテキストメニューアイテムを含むスケジューラーメニューアイテムであることを特徴とする請求項１に記載の移動端末。
【請求項１７】
前記合成メニューアイテムは、音声メニューアイテム及び時計メニューアイテムを含むアラームメニューアイテムであることを特徴とする請求項１に記載の移動端末。
【請求項１８】
前記合成メニューアイテムは、通話メニューアイテム、カメラメニューアイテム及びテキストメニューアイテムを含むビデオチャットメニューアイテムであることを特徴とする請求項１に記載の移動端末。
【請求項１９】
前記合成メニューアイテムは下位メニューを含み、前記制御部は、選択された下位メニユーに対応するアプリケーションを実行することを特徴とする請求項１に記載の移動端末。
【請求項２０】
移動端末に複数のメニューアイテムを表示し、
入力に応じて合成メニューアイテムを生成し、
移動端末に前記合成メニューアイテムを表示すること、を含むことを特徴とする合成メニュー情報の表示方法。
【請求項２１】
前記移動端末にグルーピングアイコンを表示し、
前記入力は、前記グルーピングアイコンに対して前記複数のメニューアイテムの少なくとも一つをドラッグすること、を含むことを特徴とする請求項２０に記載の合成メニュー情報の表示方法。
【請求項２２】
前記移動端末にグルーピングアイコンを表示し、
前記入力は、
前記複数のメニューアイテムの各々を起動する前記グルーピングアイコンを選択し、
前記複数の起動メニューアイテムのうち少なくとも一つをグループ化するために選択すること、を含むことを特徴とする請求項２０に記載の合成メニュー情報の表示方法。
【請求項２３】
前記入力は、前記複数のメニューアイテムの他の一つに対して前記複数のメニューアイテムの一つをドラッグすることを特徴とする請求項２０に記載の合成メニュー情報の表示方法。
【請求項２４】
前記移動端末に削除アイコンを表示し、
前記合成メニューアイテムを削除するために前記削除アイコンに合成メニューアイテムをドラッグすること、を含むことを特徴とする請求項２０に記載の合成メニュー情報の表示方法。
【発明の詳細な説明】
【技術分野】
【０００１】
本発明は、複数のメニューアイテムを合成してなる合成メニュー情報を表示する移動端末に関する。
【背景技術】
【０００２】
移動通信技術と関連するインフラ（infrastructure）の急速な発展に伴い、移動端末は一般的な音声通話だけでなく、ゲーム、メッセージの送受信、インターネット検索、無線データ通信、電子手帳、デジタルカメラ、ビデオ通話などの多様なサービスを提供する媒体として進化しつつある。
【０００３】
近年、ユーザらのサービス要求レベルが高まる中、その機能の高機能化に伴い、移動端末にＰＣ（Ｐｅｒｓｏｎａｌ  Ｃｏｍｐｕｔｅｒ）並みのグラフィック・ユーザ・インターフェース（ＧＵＩ：Ｇｒａｐｉｃ  Ｕｓｅｒ  Ｉｎｔｅｒｆａｃｅ）やタッチパネルなどの要素を取り入れ、ユーザの便宜性を高めようとする試みが継続的に行われている。
【０００４】
タッチ機能をもつ移動端末では、入力手段として通常使われるキーパッドを備えずに、タッチ入力を受け付けるＧＵＩ装置であるタッチパネルを備え、タッチペンや指先などが押された位置に一定の電圧信号や電流信号を発生させることでユーザの指定する指令が入力されるようにしている。この種のタッチパネルは、ユーザが所望する情報をペンや指先のように自然に使われる入力手段を用いて便利に入力することができるという長所がある。
【０００５】
しかしながら、従来のタッチパネルは、移動端末において単にキーパッドに代わってその役割を担うものであって、タッチペンや指先などの手段にてユーザが入力する指令を認識する機能のみを限定的に行うだけで、ユーザの利便性を高められるようなより多様な活用方法は提案されていない。
【発明の概要】
【発明が解決しようとする課題】
【０００６】
本発明は、複数のメニューアイテムをグルーピングすることで、それぞれのメニュー特性を反映し、または新たに生成する合成メニュー情報を表示する移動端末を提供することをその目的とする。
【課題を解決するための手段】
【０００７】
上記課題を実現するための本発明の一実施形態による移動端末は、メニュー情報を表示する表示部と、複数のメニューアイテムをグルーピングして生成した合成メニュー情報を記憶するメモリ部と、合成メニューアイテムに該当する合成メニュー情報を前記表示部に表示するように制御する制御部と、を含む。
【０００８】
また、前記表示部は、タッチパネルを含む。
【０００９】
また、前記制御部は、ユーザの指示によって合成メニュー情報を表示する合成メニューアイコンが選択されると、該選択された合成メニュー情報に該当するアプリケーションを実行してもよい。
【００１０】
また、前記メモリ部の合成メニュー情報は、ユーザの指示によって設定されてもよい。
【発明の効果】
【００１１】
上記のように構成される本発明の少なくとも一つの実施形態に係る移動端末では、表示されるメニューを簡素化することができ、ユーザの好みに応じてメニューを構成して表示することでユーザの利便性を増大することができるという利点がある。
【図面の簡単な説明】
【００１２】
【図１】本発明の第１の実施形態に係る移動端末の構成図である。
【図２】本発明の第２の実施形態に係る複数のメニューアイテムを合成する過程を説明する図である。
【図３ａ】本発明の第３、４、５の実施形態に係る複数のメニューアイテムを選択する移動端末を説明する図である。
【図３ｂ】本発明の第３、４、５の実施形態に係る複数のメニューアイテムを選択する移動端末を説明する図である。
【図３ｃ】本発明の第３、４、５の実施形態に係る複数のメニューアイテムを選択する移動端末を説明する図である。
【図４】本発明の第６の実施形態に係る生成された合成メニューアイコンを削除する移動端末において合成メニューアイテムを削除する移動端末を説明する図である。
【図５】本発明の第７の実施形態に係る生成された合成メニュー情報に対するアプリケーションを実行する移動端末を説明する図である。
【発明を実施するための形態】
【００１３】
以下、本発明に係る移動端末について図面を参照してより詳細に説明する。図１は、本発明の第１の実施形態に係る移動端末の構成図である。図１を参照すると、本発明の一実施形態による移動端末１００は、表示部１１０と、メモリ部１２０と、制御部１３０と、を含む。
【００１４】
上記表示部１１０は、メニュー情報及び／または移動端末において処理される情報を表示する。上記表示部１１０は、タッチパネルを含んでもよい。上記タッチパネルは、タッチ動作を検知するタッチセンサが層間構造を有し、出力装置の役割と入力装置の役割を同時に遂行する。上記タッチセンサは、タッチフィルム、タッチシート、タッチパッドなどの形態を有していてよい。上記タッチセンサは、上記タッチパネルの表面に加えられた圧力または特定部位から発生する静電容量などの変化を電気的な入力信号に変換することで外部の信号の入力を受ける。上記表示部１１０がタッチパネルを含む場合、ユーザの指示が入力され、移動端末において発生する制御信号による情報を表示する入力表示部の機能を有する。
【００１５】
また、上記表示部１１０は、ブロックデザイン、テキストデザイン、円形デザインなどの様々な形態でメニュー情報を表示してもよい。また、上記表示部１１０は、グルーピングアイコン、削除アイコン、合成アイコン、メニューアイコン等を含むアイコンをさらに表示してもよい。上記合成アイコンは、様々な方式にて選択された複数のメニューアイテムまたはアイコンを含むアイコンのことを指す。また、上記表示部１１０は、削除機能を実行する削除アイコンを表示し、ユーザが上記削除アイコンを選択して不要な合成メニューアイコンを削除するようにしてもよい。また、合成メニュー情報が生成された場合、上記表示部１１０は、該生成された合成メニュー情報を直接表示するか、または該生成された合成メニュー情報を表示する画面に切り替える合成メニュー進入アイコンをさらに表示してもよい。
【００１６】
上記メモリ部１２０は、複数のメニューアイテムをグルーピングすることにより生成される合成メニュー情報を記憶する。上記メモリ部１２０は、フラッシュメモリ型、ハードディスク型、マルチメディアカードマイクロ型、カード型のメモリ、ＲＡＭ（Ｒａｎｄｏｍ  Ａｃｃｅｓｓ  Ｍｅｍｏｒｙ）、ＳＲＡＭ（Ｓｔａｔｉｃ  Ｒａｎｄｏｍ  Ａｃｃｅｓｓ  Ｍｅｍｏｒｙ）、ＲＯＭ（Ｒｅａｄ-Ｏｎｌｙ  Ｍｅｍｏｒｙ）、ＥＥＰＲＯＭ（Ｅｌｅｃｔｒｉｃａｌｌｙｌｙ  Ｅｒａｓａｂｌｅ  Ｒｅａｄ−Ｏｎｌｙ  Ｍｅｍｏｒｙ）、ＰＲＯＭ（Ｐｒｏｇｒａｍｍａｂｌｅ  Ｒｅａｄ−Ｏｎｌｙ  Ｍｅｍｏｒｙ）、磁気メモリ、磁気ディスク、光ディスクのうちの何れかの記憶媒体を含む。
【００１７】
上記合成メニュー情報は、移動端末の初期メニュー画面において表示される２つ以上のメニューアイテムをグルーピングすることで生成されたメニュー情報のことを意味する。上記合成メニュー情報の生成には、初期メニュー画面に表示されるメニューアイテム以外に、グルーピングにて生成されたメニューアイテムを用いることができる。上記グルーピング方式には、グループ化される各メニューまたはアイコンの機能を考慮して、該当するメニューまたはアイコンの機能から連想されるメニューまたはアイコンが合成されるように予め設定する方式またはユーザの好みに応じてグループ化するメニューをそれぞれ指定する方式などが考えられる。上記合成メニュー情報を生成する方法としては、それぞれのメニューアイテムまたはアイコンに含まれる命令語を合成して、合成メニューに対するマクロを生成する方法を通じて生成してもよい。また、合成メニュー情報は、合成メニューアイテムと関連した合成アイコンを生成することにより表示されてもよい。上記合成メニュー情報は、カテゴリーごとに分類された下位メニュー情報及び各メニューまたはアイコン機能を実行するアプリケーション情報を含めてもよい。上記メモリ部１２０に記憶された合成メニュー情報のグルーピング方式は、ユーザの指示によって決定されればよい。具体的には、ユーザは、自身の好みに応じて、グループ化する複数のメニューアイテム及び上記複数のメニューアイテムがグループ化されて生成された合成アイテムを予め移動端末のメモリ部１２０に格納する方式によって生成してもよい。
【００１８】
上記制御部１３０は、通常、移動端末の全般的な動作を制御する。例えば、制御部１３０は、音声通話、データ通信、ビデオ通話などのための関連した制御及び／または処理を実行する。本発明の実施形態による制御部１３０は、上記メモリ部１２０に記憶された情報を用いて、ユーザによって選択される複数のメニューアイテムまたはアイコンがグルーピングにより生成された合成メニュー情報を上記表示部１１０に表示するように制御してもよい。上記合成メニュー情報は、ユーザが上記合成メニュー情報を呼び出すか実行する合成アイコンを含んでもよく、上記制御部１３０は、上記合成メニュー情報を上記表示部１１０に直接表示するか、または上記合成メニュー情報またはリストを表示する画面に切り替えるように合成アイコンを表示するように制御してもよい。上記合成メニュー情報は、下位メニュー及び下位アイテムなどをさらに含んでもよい。下位メニューを含む合成メニュー情報が選択されると、上記制御部１３０は、下位メニューのアプリケーションを実行できるように、下位メニューのリストを表示する。また、上記制御部１３０は、ユーザによって任意の下位メニューが選択されると、該選択された下位メニューに該当するアプリケーションを実行してもよい。上記制御部１３０は、アプリケーションに従って、上記合成アイコンの形態、色、表示位置などを制御してもよい。また、上記制御部１３０は、ユーザの指示に従って上記合成アイコンのデザインを変更してもよいし、または、合成アイコンの位置を移動させて表示するように制御してもよい。
【００１９】
メニューアイテムの機能によって生成された合成メニュー情報の一例として、通話機能とカメラ機能のメニューアイテムがグルーピングされるとビデオ通話メニューが生成され、通話メニューとテキストメニューがグルーピングされると文字メッセージメニューが生成される。また、通話メニューとプロバイダサービスメニューがグルーピングされて無線インターネットメニューが生成され、時計メニューとテキストメニューとがグルーピングされてスケジューラメニューが生成され、音声メニューと時計メニューがグルーピングされてアラームメニューが生成される。さらに、３つ以上のメニューをグルーピングしてもよく、３つのメニューがグルーピングされて生成される合成メニーの一例として、通話メニュー、カメラメニュー及びテキストメニューがグルーピングされてビデオチャットメニューが生成される。上記グルーピング方式としては、グループ化されるメニューの機能に応じて関連したメニューを生成する方式、またはユーザの設定によって指定されるメニューを生成する方式が含まれる。上記合成方式は、グループ化されるメニューの個数、合成メニューアイテムの内容、合成方式などを様々に変更することができる。
【００２０】
また、上記制御部１３０は、様々な方式による操作信号を複数のメニューアイテムに対する選択入力として認識してもよい。例えば、上記表示部１１０がタッチパネルを含み、第１のメニューアイテムの領域から第２のメニューアイテムの領域へとドラッグ信号が入力されると、上記制御部１３０は、上記ドラッグ信号を、第１のメニューアイテム及び第２のメニューアイテムに対するグルーピング信号として認識して、上記第１のメニューアイテム及び第２のメニューアイテムをグルーピングして合成メニュー情報を生成する。この合成メニュー情報は、合成アイコンとして上記表示部１１０に表示されてもよい。上記制御部１３０は、ユーザタッチの誤差範囲を低減するために、任意の領域内の選択信号を該当するメニューアイテムを選択する信号として認識する。
【００２１】
また、上記表示部１１０がグルーピング機能を実行するグルーピングアイコンをさらに表示する場合、２つ以上のメニューアイテムが上記グルーピングアイコン上にドラッグされると、上記制御部１３０は、上記ドラッグ信号を上記グルーピングアイコン上にドラッグされたメニューアイテムを選択する信号として認識して、該当するメニューアイテムをグルーピングして、上記表示部１１０に合成アイコンとして合成メニュー情報を表示する。
【００２２】
また、上記表示部１１０が予め設定された基準時間の間、メニューアイテムに対してグルーピング機能を起動するグルーピングアイコンをさらに表示する場合、上記制御部１３０は、上記グルーピングアイコンによってグルーピング機能が起動された状態で選択信号が入力されると、上記選択信号を複数のメニューアイテムを選択する信号として認識し、選択されたメニューアイテムをグルーピングして合成メニュー情報を生成し、表示部１１０に合成アイコンとして合成メニュー情報を表示する。上記制御部１３０は、数字キーパッドを通じて入力される選択信号を、複数のメニューアイテムをグループ化するグルーピング信号として受信してもよい。具体的には、数字は、移動端末１００に表示されるメニューアイテムに各々関連する。複数の数字がグルーピング信号と共に入力されると、上記制御部１３０は、グルーピング信号として入力された数字を認識し、入力された数字と各々関連する複数のメニューアイテムを選択し、選択したメニューアイテムをグループ化して合成メニュー情報を生成して、表示部１１０に合成アイコンとして合成メニュー情報を表示する。
【００２３】
上記制御部１３０は、ユーザの指示によって、合成アイコンを削除してもよい。上記表示部１１０は、削除機能を呼び出すか実行するために削除アイコンをさらに表示してもよい。上記制御部１３０は、合成アイコンを示す合成メニュー情報が上記削除アイコン上にドラッグされると、上記ドラッグ信号を合成アイコンに対する削除信号として認識し、該当する合成メニュー情報を削除する。このとき、メニューアイテムを削除されることから保護するために、削除されるメニューアイテムの範囲は、合成アイコンまたはメニューアイテムに制限されてもよい。上記制御部１３０は、メニューアイテムに対して削除信号が入力されると、当該メニューアイテムが削除できないことを示すか、又は、メニューアイテムが削除されることを確認する警告機能を実行してもよい。上記警告機能の例としては、削除できない旨のメッセージ表示、振動モーション、警告音声の発生などが含まれる。
【００２４】
上記合成メニュー情報には、移動端末１００の状態を表示する状態情報メニューが含まれていてもよい。上記状態情報メニューは、移動端末１００の受信待ち画面上においてユーザの好みに応じて表示される、接続状態、移動端末１００の設定、バッテリーなどが表示される領域に表示されてもよい。上記制御部１３０は、上記状態情報メニュー及び一つ以上の他のメニューアイテムが選択されると、メニューアイコンとして表示部１１０に表示するように状態情報メニューを含む合成メニュー情報を生成する。例えば、バッテリーメニュー及び電話メニューが選択されると、移動端末１００のバッテリーの現在の残余電力にて可能な通話時間などに関する情報を表示部１１０に表示する。
【００２５】
図２は、本発明の第２の実施形態に係る複数のメニューアイテムをグルーピングする方法を示すフローチャートである。図２を参照すると、移動端末の表示画面に複数のメニューアイテムが表示される（Ｓ２１０）。各メニューアイテムは、アイコン又はメニューアイコンであってもよい。さらに、各メニューアイテムは、メニュー、機能、アプリケーション、プログラム、サブルーチン、ショートカット等を示しものであってもよい。ユーザの指示によって複数のメニューアイテムが選択されると（Ｓ２２０）、該選択された複数のメニューアイテムに対応する合成メニューアイテムを生成する（Ｓ２３０）。合成メニューアイテムは合成アイコンであってもよい。その結果、上記のような方式にて生成された合成メニュー情報は移動端末の表示部に直接表示されるか、又は、上記合成メニュー情報を呼び出すための合成メニューアイコンが表示部に表示される（Ｓ２４０）。
【００２６】
図３ａ〜図３ｃは、本発明の第３、４、５の実施形態に係る複数のメニューアイテムを選択する移動端末を示す図である。
【００２７】
図３ａは、第３の実施形態に係る複数のメニューアイテムをグルーピングアイコン上にドラッグして複数のアイコンを選択する移動端末を示す図であり、図３ｂは、第４の実施形態に係るグルーピングアイコンによって起動された複数のアイコンを選択する移動端末を示す図であり、図３ｃは、第５の実施形態に係るアイコン間のドラッグ信号によって複数のアイコンを選択する移動端末を示す図である。
【００２８】
図３ａを参照すると、上記移動端末の表示画面３０１には、第１乃至第６のメニューアイコン３１１、３１２、３１３、３１４、３１５及び３１６、及びグルーピング機能を実行するグルーピングアイコン３２０が表示される。ユーザの指示によって、上記第１乃至第６のメニューアイコン３１１、３１２、３１３、３１４、３１５及び３１６のうち、第３のメニューアイコン３１３及び第４のメニューアイコン３１４が上記グルーピングアイコン３２０にドラッグされると、上記移動端末３０１は、上記第３のメニューアイコン３１３及び第４のメニューアイコン３１４をグルーピングして合成メニュー情報を生成する。合成アイコン３３１は、合成メニューアイコンであってもよい。この結果、移動端末の表示画面３０１には、上記第３のメニューアイコン３１３及び第４のメニューアイコン３１４の間に上記第３のメニューアイコン３１３及び第４のメニューアイコン３１４をグルーピングすることにより生成された合成メニュー情報が表示され、ユーザは合成進入アイコン３３１を通じて合成メニュー情報を呼び出すことができる。
【００２９】
図３ｂを参照すると、移動端末の表示画面３０２には、第１乃至第６のメニューアイコン３４１、３４２、３４３、３４４、３４５及び３４６、及びグルーピング機能を起動させるグルーピングアイコン３５０がともに表示される。第１乃至第６のメニューアイコン３４１、３４２、３４３、３４４、３４５及び３４６は、メニューアイコン又はメニューアイテムであってもよい。さらに、第１乃至第６のメニューアイコン３４１、３４２、３４３、３４４、３４５及び３４６は、メニュー、機能、アプリケーション、プログラム、サブルーチン等を表すものであってもよい。ユーザの指示によって、上記グルーピングアイコン３５０が選択されると、予め設定された基準時間の間上記第１乃至第６のメニューアイテム３４１、３４２、３４３、３４４、３４５及び３４６がグルーピング機能に対して起動される。ユーザの指示によって予め設定された数秒内に第３のアイコン３４３及び第４のアイコン３４４が選択されると、上記移動端末は、上記第３のアイコン３４３及び第４のアイコン３４４をグループ化した合成メニュー情報を呼び出して合成アイコン３６１を表示する。合成アイコン３６１は合成メニューアイコンであってもよい。この結果、ユーザは、上記合成アイコン３６１を通じて、移動端末の表示画面３０２に表示する上記第３のアイコン３４３及び第４のアイコン３４４の間に上記第３のメニュー３４３及び第４のメニュー３４４をグループ化して生成された合成メニュー情報を呼び出すことができる。
【００３０】
図３ｃを参照すると、上記移動端末の表示画面３０３には、第１乃至第６のアイコン３７１、３７２、３７３、３７４、３７５及び３７６が表示される。第１乃至第６のアイコン３７１、３７２、３７３、３７４、３７５及び３７６は、メニューアイコン又はメニューアイテムであってもよい。さらに、第１乃至第６のアイコン３７１、３７２、３７３、３７４、３７５及び３７６は、メニュー、機能、アプリケーション、プログラム、サブルーチン等を表すものであってもよい。上記第１乃至第６のアイコン３７１、３７２、３７３、３７４、３７５及び３７６のうち、第３のアイコン３７３の領域から第４のアイコン３７４の領域へとドラッグ信号が入力されると、上記移動端末は、上記第３のメニュー３７３及び第４のメニュー３７４をグループ化して生成された合成メニュー情報を呼び出して合成アイコン３８１を表示する。この合成アイコン３８１は合成メニューアイコンであってもよい。この結果、ユーザは、上記合成を通じて、移動端末の表示画面３０３に表示する上記第３のアイコン３７３及び第４のアイコン３７４の間に上記第３のメニュー３７３及び第４のメニュー３７４をグループ化して生成された合成メニュー情報を呼び出すことができる。
【００３１】
図４は、本発明の第６の実施形態に係る生成された合成アイコンを削除する移動端末を示す図である。
【００３２】
図４を参照すると、上記移動端末の表示画面４０１には、第１乃至第６の初期アイコン４１１、４１２、４１３、４１４、４１５及び４１６、上記複数のメニューをグループ化した第１乃至３の合成アイコン４２１、４２２及び４２３、及び情報を削除する削除機能を実行する削除アイコン４３０とが表示される。第１乃至第６の初期アイコン４１１、４１２、４１３、４１４、４１５及び４１６は、メニューアイコン又はメニューアイテムであってもよい。さらに、第１乃至第６の初期アイコン４１１、４１２、４１３、４１４、４１５及び４１６は、メニュー、機能、アプリケーション、プログラム、サブルーチン等を表すものであってもよい。また、第１乃至第３の合成アイコン４２１、４２２及び４２３は、合成メニューアイコンであってもよい。上記第１ないし３の合成アイコン４２１、４２２及び４２３のうち、第３の合成アイコン４２３が上記削除アイコン４３０上へドラッグされると、上記第３の合成アイコン４２３が削除され、移動端末の表示画面４０１には表示されなくなる。この結果、上記第３の合成アイコン４２３が削除された移動端末４０１の表示画面４０１Ｂには、第１乃至第６の初期メニューアイコン４１１、４１２、４１３、４１４、４１５及び４１６、及び削除されていない第１及び第２の合成アイコン４２１及び４２２だけが表示される。
【００３３】
図５は、本発明の第７の実施形態に係る生成された合成メニュー情報に対するアプリケーションを実行する移動端末を示す図である。
【００３４】
図５を参照すると、同図には、複数のアイコンが表示される移動端末の表示画面５０１は、合成アイコンが表示される表示画面５１０Ｂ、及び合成アイコンに含まれるアプリケーション情報が表示される表示画面５０１Ｃを有している。
【００３５】
複数のアイコンが表示される移動端末の表示画面５０１には、初期メニューアイテムとして、音声アイコン５１１、テキストアイコン５１２、通話アイコン５１３、時計アイコン５１４、及びグルーピングアイコン５２０が表示される。音声アイコン５１１、テキストアイコン５１２、通話アイコン５１３、時計アイコン５１４、及びグルーピングアイコン５２０は、メニューアイコン又はメニューアイテムであってもよい。さらに、音声アイコン５１１、テキストアイコン５１２、通話アイコン５１３、時計アイコン５１４、及びグルーピングアイコン５２０は、メニュー、機能、アプリケーション、プログラム、サブルーチン等を表すものであってもよい。ユーザの指示によって上記複数の初期メニューアイテムのうち、テキストアイコン５１２及び通話アイコン５１３が選択されてグループ化されると、合成メニュー情報が表示される移動端末の表示画面５０１には、上記テキストアイコン５１２及び通話アイコン５１３がグループ化されて生成された合成アイコンとして、例えば、メッセージアイコン５３１が表示される。ユーザの指示を入力するオブジェクトにより上記メッセージアイコン５３１を選択する移動端末の表示画面５０１Ｃには、上記合成メニュー情報であるメッセージアイコン５３１に含まれる下位リストのアプリケーションに関するリストが表示される。上記下位メニューは、半透明に表示されるように設定してもよい。
【００３６】
以上、本発明を実施形態に基づいて具体的に説明したが、本発明は上記の実施形態のみに限定されるものではなく、その要旨を逸脱しない範囲内で種々の変更が可能であることは言うまでもない。
【符号の説明】
【００３７】
１００  移動端末
１１０  表示部
１２０  メモリ部
１３０  制御部
３０１：移動端末の表示画面
３１１、３１２、３１３、３１４、３１５、３１６  メニューアイコン
３４１、３４２、３４３、３４４、３４５、３４６  メニューアイコン
【図１】
2011060281.tif 000003
【図２】
2011060281.tif 000004
【図３ａ】
2011060281.tif 000005
【図３ｂ】
2011060281.tif 000006
【図３ｃ】
2011060281.tif 000007
【図４】
2011060281.tif 000008
【図５】
2011060281.tif 000009